(57)【要約】      （修正有）【課題】ズボンを整えた形で容易に吊り下げ得るズボンハンガーの提供。【解決手段】４は開口溝部であって、この場合、上記掛板材３にその旋回中心から放射状に延びてズボンＷを圧挿入可能に６個形成され、かつ、この６個の開口溝部４の幅Ｂを上記ズボンＷの一対の裾部Ｗ1・Ｗ1を幅方向に二つ折り状に重ね合わせたズボンＷの裾部の厚さよりも狭く形成し、二つ折り状に重ね合わせたズボンＷの裾部Ｗ1・Ｗ1を圧挿入可能に形成している。【選択図】図２
0003111604.tif 000002
【実用新案登録請求の範囲】
【請求項１】
鉛直方向に配置される支持杆に掛板材を水平旋回自在に設け、該掛板材にその旋回中心から放射状に延びるズボンを圧挿入可能な複数個の開口溝部を形成してなることを特徴とするズボンハンガー。
【請求項２】
鉛直方向に配置される旋回自在な支持杆に掛板材を設け、該掛板材にその旋回中心から放射状に延びるズボンを圧挿入可能な複数個の開口溝部を形成してなることを特徴とするズボンハンガー。
【請求項３】
上記支持杆の下端部に該支持杆を起立状に設置可能な座板部を設けてなることを特徴とする請求項１又は２記載のズボンハンガー。
【請求項４】
上記支持杆の上端部に該支持杆を吊下状に設置可能な吊下部を設けてなることを特徴とする請求項１又は２記載のズボンハンガー。
【請求項５】
上記複数個の開口溝部の幅は上記ズボンの一対の裾部を幅方向に二つ折り状に重ね合わせたズボンの裾部を圧挿入可能な狭い幅に形成されていることを特徴とする請求項１又は２記載のズボンハンガー。
【請求項６】
上記支持杆に帽子や衣類等の小物類を掛架可能な掛杆を突設してなることを特徴とする請求項１記載のズボンハンガー。
【考案の詳細な説明】
【技術分野】
【０００１】
本考案は例えばズボンを整えた形で容易に吊り下げ得るズボンハンガーに関するものである。
【背景技術】
【０００２】
従来、この種のズボンハンガーとして、線材からなり、上部にフック部を設けると共に下部に吊下部を設けた構造のものが知られている。
【０００３】
しかして、吊下部にズボンの一対の裾部を長手方向にＵ状に折り曲げて重ね合わせた状態で吊下するようにしている。
【特許文献１】特開平１１−１６９２７７号公報
【考案の開示】
【考案が解決しようとする課題】
【０００４】
しかしながらこの従来構造の場合、ズボンのポケットに小物類を入れた状態で吊下すると、ズボンが吊下部からずり落ちることがあり、又、ズボンの一対の裾部を長手方向にＵ状に折り曲げて重ね合わせた状態で吊下することにより皺ができることがあり、又、複数のズボンを吊り下げることができないことがあるという不都合を有している。
【課題を解決するための手段】
【０００５】
本考案はこれらの不都合を解決することを目的とするもので、本考案のうちで、請求項１記載の方法の考案は、鉛直方向に配置される支持杆に掛板材を水平旋回自在に設け、該掛板材にその旋回中心から放射状に延びるズボンを圧挿入可能な複数個の開口溝部を形成してなることを特徴とするズボンハンガーにある。
【０００６】
又、請求項２記載の考案は、鉛直方向に配置される旋回自在な支持杆に掛板材を設け、該掛板材にその旋回中心から放射状に延びるズボンを圧挿入可能な複数個の開口溝部を形成してなることを特徴とするズボンハンガーにある。
【０００７】
又、請求項３記載の考案は、上記支持杆の下端部に該支持杆を起立状に設置可能な座板部を設けてなることを特徴とするものであり、又、請求項４記載の考案は、上記支持杆の上端部に該支持杆を吊下状に設置可能な吊下部を設けてなることを特徴とするものであり、又、請求項５記載の考案は、上記複数個の開口溝部の幅は上記ズボンの一対の裾部を幅方向に二つ折り状に重ね合わせたズボンの裾部を圧挿入可能な狭い幅に形成されていることを特徴とするものであり、又、請求項６記載の考案は、上記支持杆に帽子や衣類等の小物類を掛架可能な掛杆を突設してなることを特徴とするものである。
【考案の効果】
【０００８】
本考案は上述の如く、請求項１記載の考案にあっては、鉛直方向に配置される支持杆に掛板材を水平旋回自在に設け、該掛板材にその旋回中心から放射状に延びるズボンを圧挿入可能な複数個の開口溝部を形成してなるから、掛板材に形成された開口溝部にズボンを圧挿入することによりズボンを吊下することができ、ズボンのずり落ちが無くなると共に皺の発生を抑制することができ、かつ、開口溝部は複数個形成されているので、複数個のズボンを吊下することができると共に掛板材の旋回中心から放射状に延びて形成されているから、省スペース化を図ることができる。
【０００９】
又、請求項２記載の考案にあっては、鉛直方向に配置される旋回自在な支持杆に掛板材を設け、該掛板材にその旋回中心から放射状に延びるズボンを圧挿入可能な複数個の開口溝部を形成してなるから、掛板材に形成された開口溝部にズボンを圧挿入することによりズボンを吊下することができ、ズボンのずり落ちが無くなると共に皺の発生を抑制することができ、かつ、開口溝部は複数個形成されているので、複数個のズボンを吊下することができると共に掛板材の旋回中心から放射状に延びて形成されているから、省スペース化を図ることができる。
【００１０】
又、請求項３記載の考案にあっては、上記支持杆の下端部に該支持杆を起立状に設置可能な座板部を設けてなるから、支持杆の設置の融通性を高めることができ、又、請求項４記載の考案にあっては、上記支持杆の上端部に該支持杆を吊下状に設置可能な吊下部を設けてなるから、収納ケース等の中に吊下して使用することができ、使用の融通性を高めることができる。
【００１１】
又、請求項５記載の考案にあっては、上記複数個の開口溝部の幅は、上記ズボンの一対の裾部を幅方向に二つ折り状に重ね合わせたズボンの裾部を圧挿入可能な狭い幅に形成されているから、ズボンのずり落ちを良好に防ぐことができ、又、請求項６記載の考案にあっては、上記支持杆に帽子や衣類等の小物類を掛架可能な掛杆を突設してなるから、多目的に使用することができる。
【考案を実施するための最良の形態】
【００１２】
図１乃至図８は本考案の実施の形態例を示し、図１乃至図４は第一形態例、図５、図６は第二形態例、図７、図８は第三形態例である。
【００１３】
図１乃至図４の第一形態例において、１は支持杆であって、この場合、合成樹脂、金属、木製等により形成され、支持杆１の下端部に支持杆１を起立状に鉛直方向に設置可能な座板部２を設け、かつ、支持杆１の上端部及び中間部に帽子や衣類等の小物類を掛架可能な掛杆Ｍを複数本突設して構成している。
【００１４】
３は掛板材であって、この場合、合成樹脂、金属、木製等からなる円板状に形成され、掛板材３の中央部に支持杆１に遊挿可能な筒部１ａを形成すると共に支持杆１に筒部１ａを載置可能なストッパーリング１ｂを取付け、掛板材３を水平旋回自在に設けて構成している。
【００１５】
４は開口溝部であって、この場合、上記掛板材３にその旋回中心から放射状に延びてズボンＷを圧挿入可能に６個形成され、かつ、この６個の開口溝部４の幅Ｂを上記ズボンＷの一対の裾部Ｗ1・Ｗ1を幅方向に二つ折り状に重ね合わせたズボンＷの裾部の厚さよりも狭く形成し、二つ折り状に重ね合わせたズボンＷの裾部Ｗ1・Ｗ1を圧挿入可能に形成している。
【００１６】
尚、上記形態例においては、掛板材３を支持杆１に対して旋回自在に設けているが、支持杆１を旋回自在に設け、支持杆１に掛部材３を固定する構造としても同様な作用効果を得ることができる。
【００１７】
この実施の第一形態例は上記構成であるから、座板部３を床面等に設置することにより支持杆１を鉛直方向に配置し、掛板材３に形成された開口溝部４にズボンを圧挿入することによりズボンＷを長手方向にＵ状に折り曲げることなく、そのままの状態で吊下することができ、ズボンＷのずり落ちが無くなると共に皺の発生を抑制することができ、かつ、開口溝部４は複数個形成されているので、複数個のズボンＷを吊下することができると共に掛板材３の旋回中心から放射状に延びて形成されているから、省スペース化を図ることができる。
【００１８】
この場合、上記支持杆１の下端部に支持杆１を起立状に設置可能な座板部２を設けてなるから、支持杆の設置の融通性を高めることができる。
【００１９】
又、この場合、上記複数個の開口溝部４の幅Ｂは、上記ズボンＷの一対の裾部Ｗ1・Ｗ1を幅方向に二つ折り状に重ね合わせたズボンＷの裾部Ｗ1・Ｗ1を圧挿入可能な狭い幅に形成されているから、ズボンＷのずり落ちを良好に防ぐことができ、又、この場合、上記支持杆１に帽子や衣類等の小物類を掛架可能な掛杆Ｍを突設してなるから、多目的に使用することができる。
【００２０】
図５、図６の第二形態例は別例構造を示し、この場合、支持杆１の上端部に支持杆１を吊下状に設置可能な吊下部５を設けて構成している。
【００２１】
この実施の第二形態例にあっても、上記第一形態例と同様な作用効果を得ることができると共にタンスの収納ケース等の中に吊下して使用することができ、使用の融通性を高めることができる。
【００２２】
図７、図８の第三形態例は別例構造を示し、この場合、上記第一形態例の掛部材３に上記６個の開口溝部４の間にして長さの短い２個の溝部６・６をそれぞれ形成して構成している。
【００２３】
この実施の第三形態例にあっても、上記第一形態例と同様な作用効果を得ることができると共に溝部６・６に帽子や靴下等の衣類Ｆを掛けることができ、多目的に使用することができる。
【００２４】
尚、本考案は上記実施の形態例に限られるものではなく、支持杆１、座板部２、掛板材３の構造や形態、大きさ等は適宜変更して設計される。
【００２５】
以上、所期の目的を充分達成することができる。
【図面の簡単な説明】
【００２６】
【図１】本考案の実施の第一形態例の全体正面図である。
【図２】本考案の実施の第一形態例の部分斜視図である。
【図３】本考案の実施の第一形態例の部分断面図である。
【図４】本考案の実施の第一形態例の平断面図である。
【図５】本考案の実施の第二形態例の使用状態の正面図である。
【図６】本考案の実施の第二形態例の部分斜視図である。
【図７】本考案の実施の第三形態例の平断面図である。
【図８】本考案の実施の第三形態例の部分斜視図である。
【符号の説明】
【００２７】
Ｗ    ズボン
Ｗ1    裾部
１    支持杆
２    座板部
３    掛板材
４    開口溝部
５    吊下部
【図１】
0003111604.tif 000003
【図２】
0003111604.tif 000004
【図３】
0003111604.tif 000005
【図４】
0003111604.tif 000006
【図５】
0003111604.tif 000007
【図６】
0003111604.tif 000008
【図７】
0003111604.tif 000009
【図８】
0003111604.tif 000010
【手続補正書】
【提出日】平成17年4月11日(2005.4.11)
【手続補正１】
【補正対象書類名】明細書
【補正対象項目名】０００５
【補正方法】変更
【補正の内容】
【０００５】
本考案はこれらの不都合を解決することを目的とするもので、本考案のうちで、請求項１記載の考案は、鉛直方向に配置される支持杆に掛板材を水平旋回自在に設け、該掛板材にその旋回中心から放射状に延びるズボンを圧挿入可能な複数個の開口溝部を形成してなることを特徴とするズボンハンガーにある。